(57)【要約】【課題】シャドーイング再生時に音声コンテンツが再生された後、同じ時間無音が続き、再度音声コンテンツ、同じ時間無音の再生を繰り返すため、ユーザの学習が深まってきた後でも長い間、無音区間の再生が終了するまで待つ必要があった。【解決手段】音声コンテンツの再生を操作する操作手段と、音声コンテンツを再生する再生手段と、音声コンテンツの所定区間の再生後、所定時間無音再生するように再生手段の再生を制御する制御手段と、を備え、制御手段は、操作手段により無音再生中にユーザからの無音区間終了指示を受けた時、指示を受けた再生時刻を記憶し、直前の音声コンテンツの所定区間の先頭に戻って再生し、記憶した再生時刻に到達すると直前の音声コンテンツの所定区間の先頭に戻って繰り返し再生する制御を行い、操作手段によりユーザからの無音区間終了時刻のキャンセル指示を受けた時、記憶していた再生時刻を無効にして、再生する制御を行う。【選択図】図１
2015022045.tif 000002
【特許請求の範囲】
【請求項１】
音声コンテンツの再生を操作する操作手段と、
音声コンテンツを再生する再生手段と、
音声コンテンツの所定区間の再生後、所定時間無音再生するように前記再生手段の再生を制御する制御手段と、
を備え、
前記制御手段は、
前記操作手段により無音再生中にユーザからの無音区間終了指示を受けた時、
指示を受けた再生時刻を記憶し、直前の音声コンテンツの所定区間の先頭に戻って再生し、
前記記憶した再生時刻に到達すると直前の音声コンテンツの所定区間の先頭に戻って繰り返し再生する制御を行い、
前記操作手段によりユーザからの無音区間終了時刻のキャンセル指示を受けた時、記憶していた再生時刻を無効にして、再生する制御を行う、音声再生装置。
【請求項２】
前記操作手段は複数のキーで構成されており、
ユーザからの無音区間終了指示は、バックスキップキーで行う、請求項１記載の音声再生装置。
【請求項３】
前記操作手段は複数のキーで構成されており、
ユーザからの無音区間終了時刻のキャンセル指示は、キャンセルキーで行う、請求項１記載の音声再生装置。
【発明の詳細な説明】
【技術分野】
【０００１】
本発明は、音声再生に関するものであり、特に音声コンテンツの再生を聞き取り、再生している音声の後について発声するというシャドーイング再生を行う音声再生装置および音声再生方法に関する。
【背景技術】
【０００２】
音楽データを少ない容量にエンコードする技術の向上、エンコードされたコンテンツ音質の向上などにより、ＣＤなどの媒体をデジタルデータに変換し、それを、内蔵メモリ付きやＳＤカード対応の音楽プレイヤーで聞いたり、多機能携帯電話のスマートフォンで聞くことが広がっている。
【０００３】
この環境を利用して、語学学習を利用する機会も多くなってきている。さらには語学学習専用の機能を持った再生機器も増えてきている。
【０００４】
語学学習の学習法のひとつとして、聞き取った音声コンテンツの発音を繰返し聞くことが行われている。特に、音声コンテンツの再生を聞き取り、再生している後について声を出してついていくシャドーイング学習法がある。
【０００５】
従来の音声再生装置としては、例えば特許文献１、特許文献２に開示されている。
【０００６】
特許文献１は、音声教材を単文または複文ごとなど、適度な長さに区分けした音声部分に、適度な長さの空白音声を付加したものを特定の回数繰り返した音声データセットを記録させたものを語学学習教材とし、これを再生させながら、シャドーイングする内容が開示されている。
【０００７】
特許文献２は、音声コンテンツを再生させながら、部分再生範囲の境界としたい区切りポイントを指定操作し、所望の部分再生範囲を選択して再生指示してシャドーイング学習を可能にする内容が開示されている。
【先行技術文献】
【特許文献】
【０００８】
【特許文献１】特開２０１０−１０７９２６号公報
【特許文献２】特開２０１０−２７８８号公報
【発明の概要】
【発明が解決しようとする課題】
【０００９】
従来のシャドーイング再生では適度な長さに区分けした音声部分の再生の後、区分けした音声部分の再生時間と同じ長さの無音区間の再生を繰り返す。ユーザは学習を開始してすぐには音声部分の再生を全て声に出してシャドーイングできず、音声再生部分のみを何度か繰り返して再生してある程度音声部分を覚えてから少しずつ声に出してシャドーイング学習を深めていきたいという要望がある。
【００１０】
しかしながら、シャドーイング再生時に指定した区間、音声コンテンツが再生された後、同じ時間無音が続き、再度指定の区間の音声コンテンツを再生することを繰り返すため、音声コンテンツを再生した後、ユーザの学習が深まってきた後でも長い間、無音区間の再生が終了するまで待つ必要があった。
【００１１】
さらに、無音区間の再生時間の変更をする場合は、ユーザがあらかじめ無音再生時間を設定しておくか、無音区間の再生中に音声部分の再生に戻る指示を行わなければならず、シャドーイング再生による学習がユーザの思い通りに再生できなかった。
【課題を解決するための手段】
【００１２】
従来の課題を解決するために、本発明の音声再生装置は、音声コンテンツの再生を操作する操作手段と、音声コンテンツを再生する再生手段と、音声コンテンツの所定区間の再生後、所定時間無音再生するように前記再生手段の再生を制御する制御手段と、を備え、前記制御手段は、前記操作手段により無音再生中にユーザからの無音区間終了指示を受けた時、指示を受けた再生時刻を記憶し、直前の音声コンテンツの所定区間の先頭に戻って再生し、前記記憶した再生時刻に到達すると直前の音声コンテンツの所定区間の先頭に戻って繰り返し再生する制御を行い、前記操作手段によりユーザからの無音区間終了時刻のキャンセル指示を受けた時、記憶していた再生時刻を無効にして、再生する制御を行う。
【００１３】
本構成によって、シャドーイング再生中に、ユーザの思い通りに無音区間の設定ができる。
【発明の効果】
【００１４】
本発明の音声再生装置によれば、無音区間の再生中に無音区間の再生時間を変更することで、ユーザの思い通りにシャドーイング再生を行うことができる。
【図面の簡単な説明】
【００１５】
【図１】実施の形態における音声再生装置を示す図
【図２】実施の形態におけるシャドーイング再生の一例を示す図
【図３】実施の形態における音声再生のフローチャート
【発明を実施するための形態】
【００１６】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１７】
なお、出願人は、当業者が本開示を十分に理解するために添付図面および以下の説明を提供するのであって、これらによって特許請求の範囲に記載の主題を限定することを意図するものではない。
【００１８】
（実施の形態１）
図１は本実施の形態の音声再生装置を示す図である。音声再生装置の典型的な機器はＩＣレコーダーである。メイン制御回路１０１は各部のコントロールを行う。ＵＳＢインターフェース１０２はパソコン等の外部の機器のＵＳＢ端子を介してデータのやり取りを行う。メイン制御回路１０１は、メイン制御部１０３、内蔵メモリ１０６、デコーダ１０９を備えている。キー操作部１０４は、ユーザからの操作指示をメイン制御部１０３に供給する。ＬＣＤ１０５は、メイン制御部１０３からの制御に対応させて音声再生装置の再生状態等の表示を行う。外部メモリ１１３はプログラムが格納されており、ＮＯＲ型フラッシュメモリやＲＯＭで構成される。１０７はＳＤカード、１０８はＳＤカード１０７とメイン制御回路１０１との間のデータの授受を制御するＳＤカードインターフェースである。デコーダ１０９は内蔵メモリ１０６に格納またはＵＳＢインターフェース１０２やＳＤカードインターフェース１０８から供給されるＭＰ３形式やＷＭＡ形式に符号化された音声コンテンツを復号化する。１１０はデコーダ１０９で復号化された音声データを出力するコーデックである。１１１はコーデック１１０が出力した音声データを再生するヘッドフォン、１１２はコーデック１１０が出力した音声データを再生するスピーカである。
【００１９】
図２はシャドーイング再生の一例を示す図である。シャドーイング再生する音声コンテンツにおいて、音声コンテンツの先頭から最後までをシャドーイング再生する例で説明する。
【００２０】
なお、シャドーイング再生において、再生の前に音声コンテンツの再生範囲を選択してもよい。
【００２１】
図２（ａ）の例では、シャドーイング再生は、音声コンテンツを再生開始位置から通常音量で再生し、終了位置まで再生した後、同じ時間だけ無音で再生を行い、音声コンテンツの先頭に戻って、通常音量で再生開始位置から再生を繰り返す。
【００２２】
図２（ｂ）の例では、シャドーイング再生中に無音区間の終了位置を変更する方法を図示している。図２（ａ）の例でのシャドーイング再生で、無音区間の再生中に音声再生装置のキー操作部１０４にあるバックスキップキーを押下すると、押下位置の時刻を記憶し、音声コンテンツの再生開始位置に戻り、その後音声コンテンツの先頭から終了位置まで通常再生した後、先ほどバックスキップキーを押下した無音区間の終了時刻の地点まで無音区間の再生を続け、再度音声コンテンツの再生開始位置から通常音量で再生を繰り返す。
【００２３】
図２（ｃ）の例では、図２（ｂ）で説明した、記憶した無音区間の終了時刻を取り消す例である。シャドーイング再生の音声コンテンツの再生中と無音区間の再生中のいずれかの位置で音声再生装置のキー操作部１０４にあるキャンセルキーを押下すると無音区間の終了時刻を取り消し、図２（ａ）で説明したように音声コンテンツの再生時間と同じ時間の無音区間の再生を繰り返す。
【００２４】
図２（ｄ）の例では、図２（ｃ）の例に加え、一度記憶した無音区間の終了時刻をキャンセルした後、無音区間の再生中に再度バックスキップキーを押した場合に、新たにその位置を記憶し、シャドーイングの無音区間の終了時刻を記憶する。
【００２５】
図３は、音声再生装置の音声再生動作を示すフローチャートである。音声再生装置の音声再生動作を説明する。
【００２６】
音声再生装置には、ＭＰ３形式（又はＰＣＭ形式、ＷＭＡ形式）の音声コンテンツが内蔵メモリ１０６に格納されているものとする。音声コンテンツはＳＤカード１０７からＳＤカードインターフェース１０８を介してまたは、ＵＳＢインターフェース１０２を介して音声コンテンツを転送して内蔵メモリ１０６に格納されてもよい。
【００２７】
キー操作部１０４で音声再生装置の電源をオンすると、内蔵メモリ１０６に格納されているプログラムを読み出す。次にシャドーイング設定があらかじめＯＮになっていることを確認し、キー操作部１０４で再生したい音声コンテンツを選択し、再生キーを押しシャドーイング再生モードで再生指示を行う（Ｓ３０１）。
【００２８】
選択された音声コンテンツをメイン制御部１０３で指示し内蔵メモリ１０６から読み出し、デコーダ１０９、コーデック１１０を通してヘッドフォン１１１又は、スピーカ１１２から音声を出力し再生を開始する（Ｓ３０２）。
【００２９】
その後、キー操作部１０４のバックスキップキーが押下されるかどうかを判断する（Ｓ３０３）。
【００３０】
キー操作部１０４のバックスキップキーが押下された場合（Ｓ３０３の判定がｙｅｓ）、押された位置が無音区間かどうか判断する（Ｓ３０４）。無音区間でバックスキップキーを押下した場合（Ｓ３０４の判定がｙｅｓ）は、押下した地点の時刻をメモリに記憶（Ｓ３０５）し、音声コンテンツの先頭に戻る（Ｓ３０６）。バックスキップキーの押下が無音区間でない場合（Ｓ３０４の判定がｎｏ）は音声コンテンツの先頭に戻る（Ｓ３０６）。
【００３１】
次に、キー操作部１０４のバックスキップキーが押下されず（Ｓ３０３の判定がｎｏ）、コンテンツ再生中にキー操作部１０４でキャンセルキーを押下されるかどうかを判断する（Ｓ３０７）。音声コンテンツ再生中にキー操作部１０４でキャンセルキーを押下された場合（Ｓ３０７の判定がｙｅｓ）、無音終了時刻を記憶しているかどうかを判定する（Ｓ３０８）。記憶している場合（Ｓ３０８の判定がｙｅｓ）は、無音終了時刻をクリアする（Ｓ３０９）。無音終了時刻を記憶していない場合（Ｓ３０８の判定がｎｏ）は、キャンセルキーは無視され、そのまま音声コンテンツの再生を続ける（Ｓ３０２）。
【００３２】
さらに、音声コンテンツ再生中にキー操作部１０４でキャンセルキーが押下されなかった場合（Ｓ３０７の判定がｎｏ）、キー操作部１０４で停止キーか電源キーを押されるかどうかを判断する（Ｓ３１０）。停止キーか電源キーを押された場合（Ｓ３１０の判定がｙｅｓ）、再生を終了する。停止キーか電源キーが押されない場合（Ｓ３１０の判定がｎｏ）、音声コンテンツ再生を続ける（Ｓ３０２）。
【００３３】
この構成により、無音区間の再生中に無音区間の再生時間（無音終了時刻）を変更することで、ユーザの思い通りにシャドーイング再生を行うことができる。
【００３４】
なお、音声コンテンツは内蔵メモリ１０６にて格納されているものとして説明したが、ＳＤカード１０７に格納しているものを使用してもよい。
【００３５】
以上のように、添付図面および詳細な説明によって、出願人がベストモードと考える実施の形態と他の実施の形態とを提供した。これらは、特定の実施の形態を参照することにより、当業者に対して、特許請求の範囲に記載の主題を例証するために提供されるものである。したがって、添付図面および詳細な説明に記載された構成要素の中には、課題解決のために必須な構成要素だけでなく、それ以外の構成要素も含まれ得る。そのため、それらの必須ではない構成要素が添付図面や詳細な説明に記載されているからといって、直ちにそれらの必須ではない構成要素が必須であるとの認定を受けるべきではない。また、特許請求の範囲またはその均等の範囲において、上述の実施の形態に対して、種々の変更、置き換え、付加、省略などを行うことができる。
【産業上の利用可能性】
【００３６】
音声再生に関するものであり、特に音声コンテンツの再生を聞き取り、後について声を出してついていくシャドーイング再生を行う音声再生装置および音声再生方法に利用可能である。
【符号の説明】
【００３７】
１０１  メイン制御回路
１０２  ＵＳＢインターフェース
１０３  メイン制御部
１０４  キー操作部
１０５  ＬＣＤ
１０６  内蔵メモリ
１０７  ＳＤカード
１０８  ＳＤカードインターフェース
１０９  デコーダ
１１０  コーデック
１１１  ヘッドフォン
１１２  スピーカ
１１３  外部メモリ（ＲＯＭ）
【図１】
2015022045.tif 000003
【図２】
2015022045.tif 000004
【図３】
2015022045.tif 000005